(57)【要約】【課題】スイッチが不意にＯＮの位置に入るのを防止でき、予定していない紙の破砕を確実に防ぐことが可能なシュレッダーを提供する。【解決手段】本発明は、カッターを停止状態と駆動状態とに切り換えるスイッチ５を備えたシュレッダーであって、このスイッチ５は、カッターを停止状態にするＯｆｆ位置、及び駆動状態にするＡｕｏｔ，Ｒｅｖ位置へスライドするスライド部材９と、スライド部材９をＯｆｆ位置に保持する保持機構と、スライド部材９に設けられ、保持機構による保持状態を解除する解除ボタン１１とを備えている。【選択図】図２
2007175611.tif 000002
【特許請求の範囲】
【請求項１】
カッターを停止状態と駆動状態とに切り換えるスイッチを備えたシュレッダーであって、
前記スイッチは、
前記カッターを停止状態にする停止位置、及び駆動状態にする駆動位置へスライドするスライド部材と、
前記スライド部材を前記停止位置に保持する保持機構と、
前記保持機構による保持状態を解除する解除ボタンと
を備えているシュレッダー。
【請求項２】
前記駆動状態は、被破砕物を投入方向へ順送りする順送り状態と、投入方向とは逆方向へ逆送りする逆送り状態とを含み、
前記駆動位置は、前記順送り状態にする順送り位置と、前記逆送り状態にする逆送り位置とを備えている、請求項１に記載のシュレッダー。
【請求項３】
前記保持機構は、前記解除ボタンに設けられた突部と係止可能な凹部を備えており、前記停止位置では、前記突部と凹部とが係止することで前記スライド部材のスライドを規制し、前記解除ボタンの押圧により前記突部と凹部との係止状態が解除される、請求項１または２に記載のシュレッダー。
【発明の詳細な説明】
【技術分野】
【０００１】
本発明は、紙片、硬質材料片などの被破砕物を破砕するシュレッダーに関する。
【背景技術】
【０００２】
近年、個人情報保護の観点から、シュレッダーは広く普及し、業務用のみならず、家庭においても広く普及している。そのようなシュレッダーとしては、例えば特許文献１に示すようなものがある。
【特許文献１】特開平１０−１１８５１３号公報
【発明の開示】
【発明が解決しようとする課題】
【０００３】
ところで、通常のシュレッダーは、スイッチがＯＮの位置に入ると、カッターが回転し始め、即座に破砕可能な状態となる。したがって、スイッチが不意にＯＮの状態になると、予定外の紙等を破砕してしまうことがある。
【０００４】
本発明は上記問題を解決するためになされたものであり、スイッチが不意にＯＮの位置に入るのを防止でき、予定していない紙の破砕を確実に防ぐことが可能なシュレッダーを提供することを目的とする。
【課題を解決するための手段】
【０００５】
本発明は、カッターを停止状態と駆動状態とに切り換えるスイッチを備えたシュレッダーであって、上記問題を解決するためになされたものであり、前記スイッチは、前記カッターを停止状態にする停止位置、及び駆動状態にする駆動位置へスライドするスライド部材と、前記スライド部材を前記停止位置に保持する保持機構と、前記保持機構による保持状態を解除する解除ボタンとを備えている。
【０００６】
この構成によれば、保持機構によりスライド部材は停止位置に保持される。そして、この状態からカッターを駆動状態にするには、解除ボタンを押圧してスライド部材の保持を解除するように構成されている。つまり、解除ボタンを押圧しない限りは、スライド部材が停止位置から駆動位置にスライドしないようになっている。そのため、スライド部材が不意に駆動位置にスライドするのを防止することができ、その結果、予定していない被破砕物が破砕されるのを確実に防止することができる。ここでいう駆動状態とは、実際にカッターが駆動している状態のみならず、被破砕物を投入すると自動的にカッターが駆動するような準備状態も含む。
【０００７】
また、解除ボタンは、例えばスライド部材に設けることができる。こうすることで、解除ボタンの押圧とスライド部材のスライドとを一つの指の操作で行うことができる。但し、スライド部材以外の部分に配置することができるのは勿論である。
【０００８】
上記シュレッダーにおいて、駆動状態が、被破砕物を投入方向へ順送りする順送り状態と、投入方向とは逆方向へ逆送りする逆送り状態との両方の状態を含み、駆動位置が、被破砕物を順送り状態にする順送り位置と、逆送り状態にする逆送り位置とを備えるように構成することができる。逆送りとは、例えば被破砕物がカッターに詰まった場合に、カッターを逆回転させて詰まった被破砕物をシュレッダーから取り出す場合に用いられる。上記構成によれば、通常用いられる順送り状態及び逆送り状態となる位置に、スライド部材が不意に移動するのを確実に防止することができる。
【０００９】
保持機構は、種々の構成にすることができるが、例えば、解除ボタンに突部を設け、この突部と係止可能な凹部を設けておき、停止位置では、突部と凹部とが係止することでスライド部材のスライドを制限し、解除ボタンの押圧により突部と凹部との係止状態が解除されるように構成することができる。
【発明の効果】
【００１０】
本発明に係るシュレッダーによれば、スイッチがカッターを駆動する駆動位置に不意に入るのを防止でき、予定外の紙等が破砕されるのを確実に防ぐことができる。
【発明を実施するための最良の形態】
【００１１】
以下、本発明に係るシュレッダーの一実施形態について図面を参照しつつ説明する。図１は本実施形態に係るシュレッダーの斜視図、図２は図１のシュレッダーのスイッチ周辺を示した拡大斜視図である。
【００１２】
図１に示すように、本実施形態に係るシュレッダーは、紙等の被破砕物を破砕する本体部１と、本体部１で破砕された被破砕物の破砕片を収容する収容部３とで構成されている。収容部３は、上部に開口を有する箱状に形成されており、この開口を塞ぐように本体部１が設置されている。図２に示すように、本体部１の上面には、被破砕物を投入する投入口５が形成されるとともに、シュレッダーを稼働するためのスイッチ７が配置されている。投入口５から投入された被破砕物は、本体部１の内部に配置されたカッターユニット（図示省略）により破砕され、収容部３に落下する。ここで用いられるカッターユニットは、外周面に刃が形成された一対の円筒型のカッターを平行に並べ、各カッターの刃が互いに噛み合うように回転するものである。また、スイッチ７の近傍には、ランプ１０が配置されており、カッターが駆動すると点灯するようになっている。
【００１３】
図２に示すように、スイッチ７は、同図の左右方向にスライド可能なスライド部材９を備えており、このスライド部材９が３つのポジション、つまりＡｕｔｏ, Ｏｆｆ, 及びＲｅｖの位置に選択的に配置される。Ａｕｔｏは被破砕物を投入方向に順送りする通常の破砕を行う際に用いられ、Ａｕｔｏの位置(順送り位置)にスライド部材９を配置しておくと、センサー（図示省略）により投入口５への被破砕物の投入が検知され、カッターが駆動するようになっている。また、Ｏｆｆはカッターを停止状態にする位置(停止位置)であり、Ｒｅｖは被破砕物を投入方向とは逆方向に逆送りする際に用いられる位置(逆送り位置)である。Ｒｅｖを用いるのは、例えば被破砕物がカッター間に詰まったときに、カッターを逆回転させて詰まった被破砕物を投入口５から取り出す場合に用いられる。
【００１４】
また、スライド部材９の中央には、孔２３が形成されており、この孔２３に解除ボタン１１が配置されている。そして、この解除ボタン１１を押圧しないかぎり、スライド部材９はＯｆｆの位置に保持され、スライドできないようになっている。以下、スライド部材９をＯｆｆの位置に保持する保持機構について説明する。図３はスイッチの断面図、図４はスイッチを本体部の裏面から見た分解図である。なお、図４において、シュレッダーの本体部１は、一部のみを切り取って説明している。
【００１５】
まず、スイッチ５の全体構成について説明する。図３（ａ）に示すように、スイッチ５は、スライド部材９、解除ボタン１１、バネ１３、及びスイッチ本体１５が、この順でシュレッダー本体部１の表面側から裏面側に向かって配置されている。スイッチ本体１５は、カッターと電気的に接続されており、スイッチ本体１５の突部１７がスライドすることで、カッターは上述したＡｕｔｏ, Ｏｆｆ, 及びＲｅｖの状態を選択的にとり得る。図３（ｂ）は、解除ボタン１１を押圧した状態であり、この状態からスライド部材９をスライドさせると、図３（ｃ）に示すように、スライド部材９、解除ボタン１１、バネ１３、及びスイッチ本体１５の突部１７は、一体的となってスライドする。
【００１６】
図３及び図４に示すように、本体部１の表面には裏面へと貫通する矩形状の開口１９が形成されており、この開口１９の周縁にはスライド部材９の裏面から突出する４個の係合部材２１が係合しており、これによってスライド部材９は開口１９に沿ってスライド可能となっている(以下、スライドする方向をスライド方向Ｘと称する)。また、本体部１の裏面には、４つの凸状のガイド部材２０が設けられており、次に説明する解除ボタン１１がスライド方向Ｘに移動するのをガイドする。
【００１７】
図５は解除ボタンを示す斜視図である。同図に示すように、解除ボタン１１は、スライド部材９の孔２３に挿通される円筒状のボタン本体２５と、このボタン本体２５を支持するＨ型の板状に形成された基部２７とを備えている。また、基部２７の両側には、二つ折りにされた一対の板バネ２９が下方に向けて延びており、各板ばね２９において外側を向く面の上端には、後に詳述する突部３１が形成されている。そして、基部２７の底面においてボタン本体２５に一致する位置には、バネ１３及びスイッチ本体１５の突部１７が嵌合する孔３３が形成されている。また、解除ボタン１１は、バネ１３によってスライド部材９側へ付勢されており、図３（ａ）に示すように、通常は、基部２７がシュレッダー本体部１の裏面に当接している。このような構成により、スライド部材９がスライドすると、これと一体となって解除ボタン１１及びスイッチ本体の突部がスライドする。その結果、カッターの駆動状態が切り換わる。
【００１８】
次に、保持機構について図４〜図６を参照しつつ説明する。図６は、保持機構の動作説明図である。図４に示すように、シュレッダー本体部１の裏面には、開口１９を挟んだ両側に一対の保持片３５が形成されている。各保持片３５は、略Ｖ字形に形成されスライド方向Ｘに延びている。そして、そのＶ字形の頂部の下端には、切欠部(凹部)３７が形成されている。この切欠部３７には、解除ボタン１１の板バネ２９に形成された突部３１が係止可能となっており、図６（ａ）に示すように、突部３１が切欠部３７に係止した状態では、解除ボタン１１は、スライドできないようになっている。ここで、解除ボタン１１とスライド部材９とは一体となって動作するため、スライド部材９も移動できなくなる。このときのスライド部材９は、Ｏｆｆの位置にある。
【００１９】
この状態からスライド部材９を移動可能にするには、バネ１３に抗して解除ボタン１１を押す必要がある。ボタン本体２５を押圧すると、図６（ｂ）に示すように、解除ボタン１１の基部２７がシュレッダー本体部１の裏面から離間し(図３（ｂ）参照)、板バネ２９の突部３１と保持片３５の切欠部３７との係止状態が解除される。この状態を保持したまま、つまり、解除ボタン１１を押圧したままにすると、スライド部材９をスライドさせることができる。そして、図６（ｂ）の状態から、同図の右あるいは左にスライド部材９を移動させると、ＲｅｖまたはＡｕｔｏの位置に移動し、カッターが駆動する。
【００２０】
スライド部材９を移動後、解除ボタン１１の押圧をやめると、解除ボタン１１はバネ１３による付勢力で、再び基部２７がシュレッダー本体部１の裏面に当接する。その状態が図３（ｃ）及び図６（ｃ）に示されている。図６（ｃ）に示すように、保持片３５は略Ｖ字形であり、スライド方向ＸにＲｅｖまたはＡｕｔｏの位置にいくにしたがって、板バネ２９から離間するような形状になっている。そのため、スイッチ７がＲｅｖまたはＡｕｔｏの位置にある図６（ｃ）の状態では、板バネ２９は、保持片３５から圧力を受けないようになっている。
【００２１】
この状態からスライド部材９をＯｆｆの位置へ向けて移動させると、保持片３５と解除ボタン１１の基部２７との間の隙間が狭くなっていくため、板バネ２９は突部３１を介して保持片３５により両側から押圧されていく。したがって、スライド部材９をＯｆｆの位置に戻す際には、抵抗が付与されることになる。これにより、ＲｅｖまたはＡｕｔｏからＯｆｆの位置へのスライド部材９を移動するにはある程度の力が必要になる。そして、スライド部材９がＯｆｆの位置までくると、板バネ２９の突部３１が保持片３５の切欠部３７に入り込み、押圧が解除される。その結果、図６（ａ）の状態に戻る。
【００２２】
以上のように、本実施形態によれば、保持機構によりスライド部材９はＯｆｆの位置に保持される。そして、この状態からカッターを駆動状態にするには、解除ボタン１１を押圧してスライド部材９の保持を解除するように構成されている。つまり、解除ボタン１１を押圧しない限りは、スライド部材９がＯｆｆの位置からＲｅｖまたはＡｕｔｏの位置にスライドしないようになっている。そのため、スライド部材９が不意にＲｅｖまたはＡｕｔｏの位置にスライドするのを防止することができ、その結果、予定していない被破砕物が破砕されるのを確実に防止することができる。
【００２３】
以上、本発明の一実施形態について説明したが、本発明は上記実施形態に限定されるものではなく、その趣旨を逸脱しない限りにおいて種々の変更が可能である。例えば、上記説明では、カッターの駆動状態を順送り状態と逆送り状態の２種類にしているが、順送り状態のみでもよい。つまり、ＯｎとＯｆｆとを切り換えるスイッチに上述した保持機構及び解除ボタンを適用することもできる。また、保持機構は、上述したものに限定されるものではなく、解除ボタンを押さなければスライド部材をＯｆｆから移動させることができないような機構であれば、特には限定されない。
【００２４】
また、本発明に係るシュレッダーは、業務用の大型のものから、家庭用の小型のものまで種々のシュレッダーに適用することができる。
【図面の簡単な説明】
【００２５】
【図１】本発明の一実施形態に係るシュレッダーの斜視図である。
【図２】図１のシュレッダーのスイッチ周辺を示した拡大斜視図である。
【図３】スイッチの断面図である。
【図４】スイッチを本体部の裏面から見た分解図である。
【図５】解除ボタンを示す斜視図である。
【図６】保持機構の動作説明図である。
【符号の説明】
【００２６】
１    シュレッダー本体部
５    スイッチ
９    スライド部材    
１１  解除ボタン
３１  突部
３７  切欠部(凹部)
【図１】
2007175611.tif 000003
【図２】
2007175611.tif 000004
【図３】
2007175611.tif 000005
【図４】
2007175611.tif 000006
【図５】
2007175611.tif 000007
【図６】
2007175611.tif 000008